(57)【要約】【課題】給水断続弁がウォーターハンマー現象により開き状態になったときに、その開き状態になった給水断続弁を自動的に閉じ操作することが可能な熱媒供給装置を提供する。【解決手段】複数の熱媒循環路Ｒの夫々における大気開放型の熱媒貯留タンクＴ内の熱媒量を検出する熱媒量検出手段Ｓの検出情報に基づいて、熱媒貯留タンクＴ内の熱媒量が設定下限量になるとその熱媒貯留タンクＴに対応する給水断続弁３１を開弁し、且つ、熱媒貯留タンクＴ内の熱媒量が設定上限量以上になると給水断続弁３１を閉弁する水補給処理を実行する弁操作制御手段４１が設けられ、弁操作制御手段４１が、熱媒量検出手段Ｓの検出情報に基づいて、水補給処理を実行したのちにおいて、その水補給処理の対象でない熱媒貯留タンクＴの熱媒貯留量がその水補給処理を実行する前よりも増加すると判別したときには、貯留量が増加した熱媒貯留タンクＴに対応する給水断続弁３１を開弁して閉弁する異常解除用の開閉処理を実行するように構成されている。【選択図】図１
2008249302.tif 000002
【特許請求の範囲】
【請求項１】
熱媒加熱部、熱媒放熱部、及び、大気開放型の熱媒貯留タンクを経由する複数の熱媒循環路が設けられ、
前記複数の熱媒循環路の夫々における前記熱媒貯留タンクの夫々に対して、閉じ側に弾性付勢された電磁操作式の給水断続弁を備えた給水管が共通の元給水管から分岐される状態で設けられ、
前記複数の熱媒循環路の夫々における前記熱媒貯留タンク内の熱媒量を検出する熱媒量検出手段の検出情報に基づいて、前記熱媒貯留タンク内の熱媒量が設定下限量になるとその熱媒貯留タンクに対応する前記給水断続弁を開弁し、且つ、前記熱媒貯留タンク内の熱媒量が設定上限量以上になると前記給水断続弁を閉弁する水補給処理を実行する弁操作制御手段が設けられた熱媒供給装置であって、
前記弁操作制御手段が、
前記熱媒量検出手段の検出情報に基づいて、前記水補給処理を実行したのちにおいて、その水補給処理の対象でない前記熱媒貯留タンクの熱媒貯留量がその水補給処理を実行する前よりも増加すると判別したときには、貯留量が増加した熱媒貯留タンクに対応する給水断続弁を開弁して閉弁する異常解除用の開閉処理を実行するように構成されている熱媒供給装置。
【請求項２】
熱媒加熱部、熱媒放熱部、及び、大気開放型の熱媒貯留タンクを経由する複数の熱媒循環路が設けられ、
前記複数の熱媒循環路の夫々における前記熱媒貯留タンクの夫々に対して、閉じ側に弾性付勢された電磁操作式の給水断続弁を備えた給水管が共通の元給水管から分岐される状態で設けられ、
前記複数の熱媒循環路の夫々における前記熱媒貯留タンク内の熱媒量を検出する熱媒量検出手段の検出情報に基づいて、前記熱媒貯留タンク内の熱媒量が設定下限量になるとその熱媒貯留タンクに対応する前記給水断続弁を開弁し、且つ、前記熱媒貯留タンク内の熱媒量が設定上限量以上になると前記給水断続弁を閉弁する水補給処理を実行する弁操作制御手段が設けられた熱媒供給装置であって、
前記複数の熱媒循環路の夫々における前記熱媒貯留タンクからの熱媒のオーバーフローを検出するオーバーフロー検出手段が設けられ、
前記弁操作制御手段が、
前記水補給処理を実行したのちにおいて、前記オーバーフロー検出手段にてオーバーフローが検出されたときには、その水補給処理の対象でない前記熱媒貯留タンクに対応する給水断続弁を開弁して閉弁する異常解除用の開閉処理を実行するように構成されている熱媒供給装置。
【請求項３】
前記オーバーフロー検出手段にてオーバーフローが検出されると、警報手段を警報作動させる警報処理を実行する警報制御手段が設けられ、
前記警報制御手段が、前記弁操作制御手段が前記水補給処理を実行したときには、前記オーバーフロー検出手段にてオーバーフローが検出されても、前記警報処理を実行しないように構成されている請求項２記載の熱媒供給装置。
【発明の詳細な説明】
【技術分野】
【０００１】
本発明は、熱媒供給装置に関し、詳しくは、
熱媒加熱部、熱媒放熱部、及び、大気開放型の熱媒貯留タンクを経由する複数の熱媒循環路が設けられ、
前記複数の熱媒循環路の夫々における前記熱媒貯留タンクの夫々に対して、閉じ側に弾性付勢された電磁操作式の給水断続弁を備えた給水管が共通の元給水管から分岐される状態で設けられ、
前記複数の熱媒循環路の夫々における前記熱媒貯留タンク内の熱媒量を検出する熱媒量検出手段の検出情報に基づいて、前記熱媒貯留タンク内の熱媒量が設定下限量になるとその熱媒貯留タンクに対応する前記給水断続弁を開弁し、且つ、前記熱媒貯留タンク内の熱媒量が設定上限量以上になると前記給水断続弁を閉弁する水補給処理を実行する弁操作制御手段が設けられた熱媒供給装置に関する。
【背景技術】
【０００２】
かかる熱媒供給装置は、例えば、熱電併給装置と暖房装置とを組み合わせたコージェネレーションシステムとして構成されることになる。つまり、熱電併給装置として発電機駆動用のエンジンを設ける場合には、熱媒加熱部としてのエンジン、熱媒放熱部としての授熱用熱交換器、及び、大気開放型の熱媒貯留タンクを経由するエンジン排熱回収用の熱媒循環路が形成され、また、熱媒加熱部としての受熱用熱交換器、熱媒放熱部としての暖房端末、及び、大気開放型の熱媒貯留タンクを経由する暖房用の熱媒循環路が形成され、そして、前記授熱用熱交換器と前記受熱用熱交換器とに亘る熱移送用循環路にて熱媒を循環させて、授熱用熱交換器の熱を受熱用熱交換器に移送することにより、エンジンの排熱を回収して、暖房端末にて放熱するように構成される。ちなみに、コージェネレーションシステムにおいては、熱移送用循環路における前記受熱用熱交換器に並列する状態で、水道水が供給され且つ給湯路が接続される貯湯用タンクが設けられて、熱移送用循環路における熱媒として水を使用することにより、エンジンの排熱を貯湯タンクに蓄熱することも行えるように構成されることが多いものである。
そして、弁操作制御手段の水補給処理によって、各熱媒循環路における熱媒貯留タンクの熱媒量が設定下限量と設定上限量との間に維持されるように、各熱媒循環路における熱媒貯留タンクに給水されることになる（例えば、特許文献１参照。）。
【０００３】
【特許文献１】特開２００５−２４１１１９号公報
【発明の開示】
【発明が解決しようとする課題】
【０００４】
弁操作制御手段の水補給処理によって、複数の熱媒循環路のうちの一つの熱媒循環路における熱媒貯留タンクに水を補給すべく、その熱媒貯留タンクに対応する給水断続弁を開弁し、その後閉弁したときに、その閉弁に伴うウォーターハンマー現象により、他の熱媒貯留タンクに対応する給水断続弁が開き状態になり、熱媒貯留タンクに不必要に給水されるトラブルが発生することがあった。
つまり、給水断続弁としては、一般に、閉じ側に弾性付勢された弁体を開弁側に電磁ソレノイドにて開き操作する形式の電磁操作式の弁が用いられることになるが、閉じ側に弾性付勢された弁体がウォーターハンマー現象による水圧にて不必要に開き状態となり、熱媒貯留タンクに不必要に給水される虞があった。
【０００５】
給水断続弁の一例を挙げて説明を加えると、図７に示すように、弁ケース５０の弁座５０ａに接当離間することにより流路を開閉する弁体５１が設けられ、その弁体５１に連結された弁軸５１ａがスライド自在に弁ケース５０の支持部５０ｂに支持され、弁軸５１ａに一体移動するように備えさせた被操作部５１ｂが、圧縮スプリング５２にて閉じ側に付勢され、且つ、電磁操作部５３にて開き側に操作されるように構成されている。また、弁体５１には、給水圧を背部に導くバイパス流路Ｕが形成されており、閉じ状態において、給水圧と背圧とがバランスにすることにより、圧縮スプリング５２の付勢力にて的確に閉じ状態になるようになっている。そして、このように構成された給水断続弁において、ウォーターハンマー現象が発生したときに、メカニズムは詳しくは解明できないものの、弁体５１が開き状態となることがあった。ちなみに、給水断続弁が開き状態になるのは、他の給水断続弁が開き状態から閉じ状態に切り換えられたときに、必ず生じるものでは無く、給水圧力等の条件によって異なるが、数百回から数千回に１回程度の頻度で発生することが、実験により確認されている。
【０００６】
ちなみに、熱媒供給装置においては、一般には、熱媒貯留タンクのオーバーフローを検知する検知手段、及び、その検知手段によりオーバーフローが検出されると警報する警報手段が備えられており、上述した給水断続弁の不必要な開きにより、熱媒貯留タンクに不必要な給水が行われると、その給水に伴って発生する熱媒貯留タンクからの熱媒のオーバーフローが上記の検知手段にて検知されて、警報手段が警報することになる。従って、使用者は、元給水管に備えられている手動式の開閉弁を閉じて、管理会社等にメンテナンスを要求することになる。
【０００７】
本発明は、かかる実情に鑑みてなされたものであり、その目的は、給水断続弁がウォーターハンマー現象により開き状態になったときに、その開き状態になった給水断続弁を自動的に閉じ操作することが可能な熱媒供給装置を提供することにある。
【課題を解決するための手段】
【０００８】
本発明の熱媒供給装置は、熱媒加熱部、熱媒放熱部、及び、大気開放型の熱媒貯留タンクを経由する複数の熱媒循環路が設けられ、
前記複数の熱媒循環路の夫々における前記熱媒貯留タンクの夫々に対して、閉じ側に弾性付勢された電磁操作式の給水断続弁を備えた給水管が共通の元給水管から分岐される状態で設けられ、
前記複数の熱媒循環路の夫々における前記熱媒貯留タンク内の熱媒量を検出する熱媒量検出手段の検出情報に基づいて、前記熱媒貯留タンク内の熱媒量が設定下限量になるとその熱媒貯留タンクに対応する前記給水断続弁を開弁し、且つ、前記熱媒貯留タンク内の熱媒量が設定上限量以上になると前記給水断続弁を閉弁する水補給処理を実行する弁操作制御手段が設けられたものであって、
その第１特徴構成は、
前記弁操作制御手段が、
前記熱媒量検出手段の検出情報に基づいて、前記水補給処理を実行したのちにおいて、その水補給処理の対象でない前記熱媒貯留タンクの熱媒貯留量がその水補給処理を実行する前よりも増加すると判別したときには、貯留量が増加した熱媒貯留タンクに対応する給水断続弁を開弁して閉弁する異常解除用の開閉処理を実行するように構成されている点にある。
【０００９】
即ち、弁操作制御手段が、水補給処理を実行したのちにおいて、その水補給処理の対象でない前記熱媒貯留タンクの熱媒貯留量がその水補給処理を実行する前よりも増加すると判別したときには、貯留量が増加した熱媒貯留タンクに対応する給水断続弁を開弁して閉弁する異常解除用の開閉処理を実行することにより、水補給処理の対象でない熱媒貯留タンクに対応する給水断続弁を閉じ状態にすることになる。
【００１０】
説明を加えると、本発明の発明者が鋭意研究した結果、ウォーターハンマー現象により開き状態になった給水断続弁は、開弁して閉弁することを行うことにより、閉じ状態に操作できることを見出したのである。
そこで、弁操作手段が、水補給処理を実行したのちにおいて、その水補給処理の対象でない前記熱媒貯留タンクの熱媒貯留量がその水補給処理を実行する前よりも増加すると判別したときには、貯留量が増加した熱媒貯留タンクに対応する給水断続弁を開弁して閉弁する異常解除用の開閉処理を行うことにより、不必要に開き状態になった給水断続弁を自動的に閉じ状態に操作することができるのである。
したがって、給水断続弁がウォーターハンマー現象により開き状態になったときに、その開き状態になった給水断続弁を自動的に閉じ操作することが可能な熱媒供給装置を提供するに至ったのである。
【００１１】
本発明の熱媒供給装置の第２特徴構成は、上記第１特徴構成と同じ前提構成を備えるものにおいて、
前記複数の熱媒循環路の夫々における前記熱媒貯留タンクからの熱媒のオーバーフローを検出するオーバーフロー検出手段が設けられ、
前記弁操作制御手段が、
前記水補給処理を実行したのちにおいて、前記オーバーフロー検出手段にてオーバーフローが検出されたときには、その水補給処理の対象でない前記熱媒貯留タンクに対応する給水断続弁を開弁して閉弁する異常解除用の開閉処理を実行するように構成されている点にある。
【００１２】
即ち、弁操作制御手段が、水補給処理を実行したのちにおいて、前記オーバーフロー検出手段にてオーバーフローが検出されたときには、その水補給処理の対象でない前記熱媒貯留タンクに対応する給水断続弁を開弁して閉弁する異常解除用の開閉処理を実行することにより、水補給処理の対象でない熱媒貯留タンクに対応する給水断続弁を閉じ状態にすることになる。
【００１３】
説明を加えると、本発明の発明者が鋭意研究した結果、ウォーターハンマー現象により開き状態になった給水断続弁は、開弁して閉弁することを行うことにより、閉じ状態に操作できることを見出したのである。
そこで、弁操作手段が、水補給処理を実行したのちにおいて、前記オーバーフロー検出手段にてオーバーフローが検出されたときには、その水補給処理の対象でない前記熱媒貯留タンクに対応する給水断続弁を開弁して閉弁する異常解除用の開閉処理を実行することにより、不必要に開き状態になった給水断続弁を自動的に閉じ状態に操作することができるのである。
したがって、給水断続弁がウォーターハンマー現象により開き状態になったときに、その開き状態になった給水断続弁を自動的に閉じ操作することが可能な熱媒供給装置を提供するに至ったのである。
【００１４】
本発明の熱媒供給装置の第３特徴構成は、上記第２特徴構成に加えて、
前記オーバーフロー検出手段にてオーバーフローが検出されると、警報手段を警報作動させる警報処理を実行する警報制御手段が設けられ、
前記弁操作制御手段が、前記弁操作制御手段が前記水補給処理を実行したときには、前記オーバーフロー検出手段にてオーバーフローが検出されても、前記警報処理を実行しないように構成されている点にある。
【００１５】
すなわち、熱媒加熱部における管路損傷等により、外部の熱媒が熱媒循環路に流入する等により、オーバーフロー検出手段にてオーバーフローが検出されると、警報制御手段が警報処理を実行して、警報手段の警報作動により、使用者に異常を知らせることになる。しかしながら、弁操作制御手段が水補給処理を実行したときには、オーバーフロー検出手段にてオーバーフローが検出されても、弁操作制御手段により異常解除用の開閉処理によって、給水断続弁が閉じ状態に操作されるものとして、警報手段が警報処理を実行しないことになる。
従って、必要な警報は行いながらも、不要な警報を抑制して、便利に使用できる熱媒供給装置を提供できる。
【発明を実施するための最良の形態】
【００１６】
〔第１実施形態〕
以下、図面に基づいて、本発明にかかる熱媒供給装置をコージェネレーションシステムに適用した場合の第１実施形態を説明する。
コージェネレーションシステムは、図１に示すように、電力と熱とを発生する熱電併給装置１と、その熱電併給装置１が発生する熱を冷却水にて回収し、その冷却水を利用して、貯湯タンク２への貯湯及び暖房端末３への熱媒供給を行う暖房貯湯ユニット４と、熱電併給装置１及び暖房貯湯ユニット４の運転を制御する運転制御部５などから構成されている。ちなみに、前記暖房端末３として、床暖房装置、浴室暖房乾燥機又はファンコンベクタ等が設けられる。
前記熱電併給装置１は、発電機１ｇとその発電機１ｇを駆動するガスエンジン１ｅとを備えて構成されている。
【００１７】
前記熱電併給装置１の電力の出力側には、系統連系用のインバータ６が設けられ、そのインバータ６は、熱電併給装置１の発電電力を商用電源７から受電する受電電力と同じ電圧及び同じ周波数にするように構成されている。
前記商用電源７は受電電力供給ライン８を介して、テレビ、冷蔵庫、洗濯機などの電力負荷９に電気的に接続されている。
また、インバータ６は、発電電力供給ライン１０を介して受電電力供給ライン８に電気的に接続され、熱電併給装置１の発電電力がインバータ６及び発電電力供給ライン１０を介して電力負荷９に供給するように構成されている。
【００１８】
前記受電電力供給ライン８を通して流れる電流に逆潮流が生じないように、インバータ６により熱電併給装置１から受電電力供給ライン８に供給される電力が制御され、発電出力の余剰電力は、その余剰電力を熱に代えて回収する電気ヒータ１１に供給されるように構成されている。
前記電気ヒータ１１は、複数の電気ヒータから構成され、インバータ６の出力側に接続された作動スイッチ１２により各別にＯＮ／ＯＦＦが切り換えられるように構成されている。
そして、前記運転制御部５は、余剰電力の大きさが大きくなるほど電気ヒータ１１の消費電力が大きくなるように、余剰電力の大きさに応じて電気ヒータ１１の消費電力を調整すべく、作動スイッチ１２をＯＮ／ＯＦＦ操作するように構成されている。
【００１９】
前記熱電併給装置１のガスエンジン１ｅの排熱を冷却水に回収すべく、そのガスエンジン１ｅ、授熱用熱交換器１３、及び、大気開放型のエンジン側熱媒貯留タンク１４を経由するエンジン排熱回収用の熱媒循環路１５と、ガスエンジン１ｅの排熱を回収する冷却水を熱媒として前記エンジン排熱回収用の熱媒循環路１５を通して循環させる冷却水循環ポンプ１６とが設けられている。
前記電気ヒータ１１は、前記エンジン排熱回収用の熱媒循環路１５を通流する冷却水を加熱するように設けられている。
【００２０】
前記暖房貯湯ユニット４は、温度成層を形成する状態で湯水を貯湯する前記貯湯タンク２と、受熱用熱交換器１７、前記暖房端末３及び大気開放型の暖房側熱媒貯留タンク１８を経由する暖房用の熱媒循環路１９と、その暖房用の熱媒循環路１９を通して熱媒を循環させる暖房用熱媒循環ポンプ２０と、前記エンジン排熱回収用の熱媒循環路１５に設けられた授熱用熱交換器１３と前記暖房用の熱媒循環路１９に設けられた受熱用熱交換器１７とにわたる熱移送用循環路２１と、その熱移送用循環路２１を通して湯水を循環させる熱移送用循環ポンプ２２と、その熱移送用循環路２１を通流する湯水を加熱するバーナ燃焼式の補助加熱器２３とを備えて構成されている。
前記暖房用の熱媒循環路１９には、暖房端末３への熱媒の供給を断続する熱動弁２４が設けられている。
【００２１】
前記熱移送用循環路２１には、前記貯湯タンク２の下部と連通する取り出し路２５と前記貯湯タンク２の上部と連通する貯湯路２６とが接続され、その貯湯路２６には、電磁比例弁にて構成されて、湯水の通流量の調整及び通流の断続を行う貯湯弁２７が設けられている。
前記熱移送用循環ポンプ２２は、前記取り出し路２５を通して前記貯湯タンク２の下部から湯水を取り出すように前記熱移送用循環路２１に設けられ、その熱移送用循環路２１における前記取り出し路２５の接続箇所から湯水の通流方向に向かって前記貯湯路２６の接続箇所に至る部分において、前記熱移送用循環ポンプ２２よりも上流側に、前記授熱用熱交換器１３が設けられ、下流側に前記補助加熱器２３が設けられている。
更に、熱移送用循環路２１における前記貯湯路２６の接続箇所から湯水の通流方向に向かって前記取り出し路２５の接続箇所に至る部分に、電磁比例弁にて構成されて湯水の通流量の調整及び通流の断続を行う暖房弁２８、及び、前記受熱用熱交換器１７が設けられている。
【００２２】
更に、前記貯湯タンク２の下部には、水道水を給水する貯湯用給水路２９が接続され、貯湯タンク２の上部には給湯路３０が接続されて、その給湯路３０を通して貯湯槽２から湯水を浴槽、給湯栓、シャワー等の給湯先を送出するように構成されている。
前記貯湯用給水路２９は、上水道に接続された元給水管３３に接続されている。
【００２３】
前記授熱用熱交換器１３においては、エンジン排熱回収用の熱媒循環路１５を通流する冷却水から熱移送用循環路２１を通流する湯水に放熱させて、その熱移送用循環路２１を通流する湯水に熱電併給装置１のガスエンジン１ｅの排熱を回収し、前記受熱用熱交換器１７においては、熱移送用循環路２１を通流する湯水から暖房用の熱媒循環路１９を通流する熱媒に放熱させて、暖房用の熱媒循環路１９を通流する熱媒にガスエンジン１ｅの排熱を回収して、そのように暖房用の熱媒循環路１９を通流する熱媒に回収したガスエンジン１ｅの排熱を暖房端末３にて放熱するように構成されている。
【００２４】
前記運転制御部５は、前記熱電併給装置１の運転中には前記冷却水循環ポンプ１６を作動させる状態で、前記熱移送用循環ポンプ２２、前記暖房用熱媒循環ポンプ２０、前記貯湯弁１７及び前記暖房弁２８夫々の作動を制御することによって、貯湯タンク２内に湯水を貯湯する貯湯運転や、暖房端末３に熱媒を供給する熱媒供給運転を行うように構成されている。
【００２５】
前記運転制御部５は、暖房端末３用の端末用リモコン（図示省略）から運転の指令がされない状態では、前記貯湯運転を行い、その貯湯運転では、前記暖房弁２８を閉弁し、前記熱移送用循環ポンプ２２を作動させる状態で、前記授熱用熱交換器１３にて加熱された湯水の温度が設定温度になるように、前記貯湯弁２７の開度を調節するように構成されている。
更に、運転制御部５は、前記貯湯運転においては、貯湯弁２７の開度を設定最小開度に絞っても前記授熱用熱交換器１３にて加熱された湯水の温度が前記設定温度よりも低いときは、その温度が前記設定温度になるように、暖房弁２８の開度を調整して、授熱用熱交換器１３にて加熱された湯の一部を貯湯タンク２をバイパスさせて通流させるように構成されている。
更に、その貯湯運転において、湯水を前記設定温度に加熱するために前記授熱用熱交換器１３による加熱では不足するときは、その不足熱量が前記補助加熱器２３にて補われることになる。
【００２６】
前記運転制御部５は、前記端末用リモコンから運転が指令されると、前記熱媒供給運転を行い、その熱媒供給運転では、前記熱移送用循環ポンプ２２及び前記暖房用熱媒循環ポンプ２０を作動させ、前記暖房弁２８を開弁する状態で、前記授熱用熱交換器１３にて加熱された湯水の温度が前記設定温度になるように前記貯湯弁２７の開度を調整するように構成されている。
更に、その熱媒供給運転においては、前記貯湯弁２７を閉弁しても前記授熱用熱交換器１３にて加熱された湯水の温度が前記設定温度よりも低いときは、供給される湯水を前記設定温度に加熱するように、前記補助加熱器２３が加熱作動することになる。
【００２７】
そして、前記熱電併給装置１のガスエンジン１ｅが熱媒加熱部Ｈに相当し、前記授熱用熱交換器１３が熱媒放熱部Ｅに相当し、前記エンジン側熱媒貯留タンク１４が大気開放型の熱媒貯留タンクＴに相当し、並びに、前記受熱用熱交換器１７が前記熱媒加熱部Ｈに相当し、前記暖房端末３が熱媒放熱部Ｅに相当し、前記暖房側熱媒貯留タンク１８が大気開放型の熱媒貯留タンクＴに相当することになり、熱媒加熱部Ｈ、熱媒放熱部Ｅ、及び、大気開放型の熱媒貯留タンクＴを経由する複数の熱媒循環路Ｒとして、エンジン排熱回収用の熱媒循環路１５、及び、暖房用の熱媒循環路１９が設けられている。
【００２８】
図１及び図２に示すように、前記エンジン排熱回収用の熱媒循環路１５におけるエンジン側熱媒貯留タンク１４、及び、前記暖房用の熱媒循環路１９における暖房側熱媒貯留タンク１８の夫々に対して、閉じ側に弾性付勢された電磁操作式の給水断続弁３１を備えた給水管３２が共通の前記元給水管３３から分岐される状態で設けられ、並びに、前記エンジン排熱回収用の熱媒循環路１５のエンジン側熱媒貯留タンク１４、及び、前記暖房用の熱媒循環路１９の暖房側熱媒貯留タンク１８の夫々に、熱媒貯留タンク内の熱媒量を検出する熱媒量検出手段としての熱媒量検出センサＳが設けられている。
【００２９】
図示は省略するが、前記給水管３２の配管経路を短くするために、前記エンジン側熱媒貯留タンク１４及び前記暖房側熱媒貯留タンク１８が、前記暖房貯湯ユニット４を収納するケーシング内に近付けて設けられており、一方の給水断続弁３１が閉弁されたときに発生するウォーターハンマー現象による水圧が他方の給水断続弁３１に印加され易い構造となっている。
【００３０】
前記エンジン側熱媒貯留タンク１４及び前記暖房側熱媒貯留タンク１８の夫々に対して設けられた前記給水断続弁３１は、〔発明が解決しようとする課題〕の欄において図７に基づいて説明したものと同様の構成である。尚、以下の説明において、前記エンジン側熱媒貯留タンク１４に対するものをエンジン側給水断続弁３１ｅと記載し、前記暖房側熱媒貯留タンク１８に対するものを暖房側給水断続弁３１ｗと記載する場合がある。
【００３１】
図１及び図２に示すように、前記エンジン側熱媒貯留タンク１４及び前記暖房側熱媒貯留タンク１８の夫々に設けられた熱媒量検出センサＳは同様の構成であり、基準電極３４、熱媒量が設定下限量になったことを検出する下限電極３５及び熱媒量が設定上限量になったことを検出する上限電極３６から構成されている。つまり、下限電極３５及び上限電極３６の夫々と基準電極３４との間の電気抵抗により、熱媒量が設定下限量や設定上限量になったことを検出するように構成されている。
尚、以下の説明において、前記エンジン側熱媒貯留タンク１４に設けた熱媒量検出センサＳをエンジン側熱媒量検出センサＳｅと記載し、前記暖房側熱媒貯留タンク１８に設けた熱媒量検出センサＳを暖房側熱媒量検出センサＳｗと記載する場合がある。
【００３２】
更に、前記エンジン側熱媒貯留タンク１４には、その内部の熱媒量が前記設定上限量よりも多くなったときに熱媒をオーバーフローさせるオーバーフロー管３８が接続され、前記暖房側熱媒貯留タンク１８には、その内部の熱媒量が前記設定上限量よりも多くなったときに熱媒をオーバーフローさせるオーバーフロー管３９が接続されている。
又、両方のオーバーフロー管３８，３９を通してオーバーフローした熱媒を回収する熱媒回収タンク３７が設けられ、その前記熱媒回収タンク３７には、その内部の回収熱媒量が警報用設定量を越えたことを検出する警報用熱媒量検出センサ４０が設けられている。
この警報用熱媒量検出センサ４０は、前記授熱用熱交換器１３又は前記受熱用熱交換器１７において、熱交換させる２流体を通流させる熱交換用流路間の隔壁に流路間を連通する破損が生じたことを検知するために設けられているものである。
【００３３】
説明を加えると、前記授熱用熱交換器１３にて、前記熱移送用循環路２１からの湯水を通流させる熱交換用流路と前記エンジン排熱回収用の熱媒循環路１５からの冷却水を通流させる熱交換用流路との間の隔壁に流路間を連通する破損が生じると、給水圧が印加されている前記熱移送用循環路２１を通流する湯水の方が高圧であるので、前記熱移送用循環路２１側からエンジン排熱回収用の熱媒循環路１５側へ湯水が流出することとなり、そのエンジン排熱回収用の熱媒循環路１５に設けられたエンジン側熱媒貯留タンク１４のエンジン側給水断続弁３１ｅが閉弁されているにも拘わらず、エンジン側熱媒貯留タンク１４の熱媒量が増加して、前記オーバーフロー管３９を通して前記熱媒回収タンク３７に流入することになる。
【００３４】
又、前記受熱用熱交換器１７にて、前記熱移送用循環路２１からの湯水を通流させる熱交換用流路と前記暖房用の熱媒循環路１９からの熱媒を通流させる熱交換用流路との間の隔壁に流路間を連通する破損が生じると、給水圧が印加されている前記熱移送用循環路２１を通流する湯水の方が高圧であるので、前記熱移送用循環路２１側から暖房用の熱媒循環路１９側へ湯水が流出することとなり、その暖房用の熱媒循環路１９に設けられた暖房側熱媒貯留タンク１８の暖房側給水断続弁３１ｗが閉弁されているにも拘わらず、暖房側熱媒貯留タンク１８の熱媒量が増加して、前記オーバーフロー管３９を通して前記熱媒回収タンク３７に流入することになる。
【００３５】
つまり、前記授熱用熱交換器１３又は前記受熱用熱交換器１７に熱交換用流路間を連通させる連通異常が生じると、前記熱媒回収タンク３７の熱媒量が増加することとなり、前記警報用熱媒量検出センサ４０にて熱媒量が警報用設定量を越えたことを検出することに基づいて、前記授熱用熱交換器１３又は前記受熱用熱交換器１７に連通異常が生じたことを検知するように構成されている。
そして、このコージェネレーションシステムのリモコン式の操作部４２には、前記授熱用熱交換器１３又は前記受熱用熱交換器１７に連通異常が生じたことを報知する警報ランプ４３が設けられている。
【００３６】
次に、前記運転制御部５により前記複数の熱媒貯留タンク１４夫々への水の補給を制御すべく前記複数の給水断続弁３１の作動を制御する弁操作制御処理について説明する。
前記複数の熱媒循環路Ｒの夫々における前記熱媒貯留タンクＴ内の熱媒量を検出する熱媒量検出センサＳの検出情報に基づいて、前記熱媒貯留タンクＴ内の熱媒量が設定下限量になるとその熱媒貯留タンクＴに対応する前記給水断続弁３１を開弁し、且つ、前記熱媒貯留タンクＴ内の熱媒量が設定上限量以上になると前記給水断続弁３１を閉弁する水補給処理を実行する弁操作制御手段４１が設けられている。
【００３７】
つまり、エンジン側熱媒量検出センサＳｅにより熱媒量が設定下限量であることが検出されると、エンジン側給水断続弁３１ｅを開弁し、その開弁後、エンジン側熱媒量検出センサＳｅにより熱媒量が設定上限量であることが検出されるとエンジン側給水断続弁３１ｅを閉弁することにより、エンジン側熱媒貯留タンク１４について水補給処理が実行されることになる。
又、暖房側熱媒量検出センサＳｗにより熱媒量が設定下限量であることが検出されると、暖房側給水断続弁３１ｗを開弁し、その開弁後、暖房側熱媒量検出センサＳｗにより熱媒量が設定上限量であることが検出されると暖房側給水断続弁３１ｗを閉弁することにより、暖房側熱媒貯留タンク１８について水補給処理が実行されることになる。
この実施形態では、前記弁操作制御手段４１が、前記運転制御部５を用いて構成されている。
【００３８】
そして、この運転制御部５は、熱媒量検出センサＳの検出情報に基づいて、前記水補給処理を実行したのちにおいて、その水補給処理の対象でない前記熱媒貯留タンクＴの熱媒貯留量がその水補給処理を実行する前よりも増加すると判別したときには、貯留量が増加した熱媒貯留タンクＴに対応する給水断続弁３１を開弁して閉弁する異常解除用の開閉処理を実行するように構成されている。
前記運転制御部５は、前記異常解除用の開閉処理においては、貯留量が増加した熱媒貯留タンクＴに対応する給水断続弁３１を開弁し、その開弁の後、異常解除用設定時間（例えば１秒間）が経過した後に閉弁するように構成されている。
【００３９】
前記異常解除用の開閉処理の実行について説明を加えると、前記運転制御部５は、２つの熱媒量検出センサＳのうちのいずれか一方が設定下限量を検出すると、他方の熱媒量検出センサＳの検出状態を確認した後、前記設定下限量を検出した熱媒量検出センサＳに対応する熱媒貯留タンクＴについて水補給処理を実行し、他方の熱媒量検出センサＳの検出状態が設定上限量を検出していなかった場合に、前記水補給処理の実行後、異常判別用の設定時間が経過するまでに、他方の熱媒量検出センサＳが設定上限量を検出すると、その設定上限量を検出した熱媒量検出センサＳが設けられている熱媒貯留タンクＴに対応する給水断続弁３１について異常解除用の開閉処理を実行するように構成されている。
ちなみに、前記異常判別用の設定時間は、例えば１分間程度に設定される。
【００４０】
つまり、熱媒量検出センサＳが設定下限量を検出することに基づいて、その設定下限量を検出した熱媒量検出センサＳに対応する熱媒貯留タンクＴについて水補給処理が実行されたときに、他の熱媒貯留タンクＴに対応する給水断続弁３１がウォーターハンマー現象により開弁状態になって、その熱媒貯留タンクＴの熱媒量が増加してその熱媒貯留タンクＴに対応する熱媒量検出センサＳにより設定上限量が検出されると、その熱媒貯留タンクＴに対応する給水断続弁３１に対して異常解除用の開閉処理が実行されて、その給水断続弁３１が自動的に閉じ操作される。
【００４１】
又、前記運転制御部５は、前記警報用熱媒量検出センサ４０により熱媒量が警報用設定量であることが検出されると、前記警報ランプ４３を点灯させる警報処理を実行するように構成されている。
【００４２】
以下、図３に示すフローチャートに基づいて、前記運転制御部５の前記弁操作制御処理における制御動作を説明する。
ステップ＃１で、前記警報用熱媒量検出センサ４０により熱媒量が警報用設定量であることが検出されているか否かを判別して、検出されていないと判別した場合は、ステップ＃２で、暖房側熱媒量検出センサＳｗにより熱媒量が設定下限量であることが検出されているか否かを判別し、検出されていると判別した場合は、エンジン側熱媒量検出センサＳｅの検出状態を確認した後、暖房側熱媒貯留タンク１８について前述のように水補給処理を実行し、その水補給処理が終了すると、エンジン側給水断続弁３１ｅが不必要に開き状態になっていないかを判別するためにタイマーをスタートさせて、異常判別用の設定時間が経過するまでに、エンジン側熱媒量検出センサＳｅにより新たに熱媒量が設定上限量であることが検出されると、エンジン側給水断続弁３１ｅが不必要に開き状態になったとして、そのエンジン側給水断続弁３１ｅについて異常解除用の開閉処理を実行する（ステップ＃３〜８）。
【００４３】
ステップ＃２で、暖房側熱媒量検出センサＳｗにより熱媒量が設定下限量であることが検出されていないと判別した場合、及び、ステップ＃５，６，８の処理で、暖房側熱媒貯留タンク１８についての水補給処理の実行後、異常判別用の設定時間が経過してもエンジン側熱媒量検出センサＳｅにより新たに熱媒量が設定上限量であることが検出されなかった場合は、ステップ＃９で、エンジン側熱媒量検出センサＳｅにより熱媒量が設定下限量であることが検出されているか否かを判別し、検出されていると判別した場合は、暖房側熱媒量検出センサＳｗの検出状態を確認した後、エンジン側熱媒貯留タンク１４について前述のように水補給処理を実行し、その水補給処理が終了すると、暖房側給水断続弁３１ｗが不必要に開き状態になっていないかを判別するためにタイマーをスタートさせて、異常判別用の設定時間が経過するまでに、暖房側熱媒量検出センサＳｗにより新たに熱媒量が設定上限量であることが検出されると、暖房側給水断続弁３１ｗが不必要に開き状態になったとして、その暖房側給水断続弁３１ｗについて異常解除用の開閉処理を実行する（ステップ＃１０〜１５）。
【００４４】
ステップ＃９で、エンジン側熱媒量検出センサＳｅにより熱媒量が設定下限量であることが検出されていないと判別した場合、及び、及び、ステップ＃１２，１３，１５の処理で、エンジン側熱媒貯留タンク１４についての水補給処理の実行後、異常判別用の設定時間が経過しても暖房側熱媒量検出センサＳｗにより新たに熱媒量が設定上限量であることが検出されなかった場合は、リターンする。
【００４５】
ステップ＃１で、前記警報用熱媒量検出センサ４０により熱媒量が警報用設定量であることが検出されていると判別した場合は、前記警報ランプ４３を点灯させて警報処理を実行し、続いて、所定の停止処理を実行して、コージェネレーションシステムの運転を停止させる（ステップ＃１６，１７）。
【００４６】
〔第２実施形態〕
以下、図面に基づいて、本発明にかかる熱媒供給装置をコージェネレーションシステムに適用した場合の第２実施形態を説明する。
図４及び図５に示すように、この第２実施形態のコージェネレーションシステムは、前記エンジン排熱回収用の熱媒循環路１５のエンジン側熱媒貯留タンク１４、及び、前記暖房用の熱媒循環路１９の暖房側熱媒貯留タンク１８の夫々に、熱媒貯留タンクからの熱媒のオーバーフローを検出するオーバーフロー検出手段としてのオーバーフローセンサ４４が設けられている点、そのオーバーフローセンサ４４にてオーバーフローが検出されると警報手段Ａを警報作動させる警報制御手段４５が設けられている点、並びに、熱媒回収タンク３７及び警報用熱媒量検出センサ４０が省略されている点で異なる以外は、上記の第１実施形態と同様であるので、第１実施形態と同じ構成要素や同じ作用を有する構成要素については、同じ符号を付すことにより説明を省略し、主として、第１実施形態と異なる構成を説明する。
【００４７】
前記オーバーフローセンサ４４は、前記エンジン側熱媒貯留タンク１４又は前記暖房側熱媒貯留タンク１８の熱媒量が設定上限量よりも多くなって、オーバーフロー管３７又は３８からオーバーフローしている状態を検出するように設けられている。
【００４８】
尚、以下の説明においては、前記エンジン側熱媒貯留タンク１４に対応するオーバーフローセンサ４４を、エンジン側オーバーフローセンサ４４ｅと記載し、前記暖房側熱媒貯留タンク１８に対応するオーバーフローセンサ４４を、暖房側オーバーフローセンサ４４ｗと記載する場合がある。
【００４９】
そして、前記授熱用熱交換器１３において上記の第１実施形態にて説明した如き連通異常が生じると、前記熱移送用循環路２１側からエンジン排熱回収用の熱媒循環路１５側へ湯水が流出することとなり、そのエンジン排熱回収用の熱媒循環路１５に設けられたエンジン側熱媒貯留タンク１４のエンジン側給水断続弁３１ｅが閉弁されているにも拘わらず、エンジン側熱媒貯留タンク１４の熱媒量が増加するので、前記エンジン側オーバーフローセンサ４４ｅによりオーバーフローが検出されることになる。
又、前記受熱用熱交換器１７において上記の第１実施形態にて説明した如き連通異常が生じると、前記熱移送用循環路２１側から暖房用の熱媒循環路１９側へ湯水が流出することとなり、その暖房用の熱媒循環路１９に設けられた暖房側熱媒貯留タンク１８の暖房側給水断続弁３１ｗが閉弁されているにも拘わらず、暖房側熱媒貯留タンク１８の熱媒量が増加するので、前記暖房側オーバーフローセンサ４４ｗによりオーバーフローが検出されることになる。
【００５０】
この第２実施形態においては、前記警報制御手段４５が、前記運転制御部５を用いて構成されている。
そして、前記警報ランプ４３にて前記警報手段Ａが構成されて、その警報ランプ４３を点灯させることにより、前記警報手段Ａを警報作動させる警報処理を実行するように構成されている。
この第２実施形態においては、前記警報ランプ４３として、授熱用熱交換器異常報知用の警報ランプ４３ｅと、受熱用熱交換器異常報知用の警報ランプ４３ｗとが設けられている。
そして、前記運転制御部５は、前記エンジン側オーバーフローセンサ４４ｅにてオーバーフローが検出されると、前記授熱用熱交換器異常報知用の警報ランプ４３ｅを点灯させる警報処理を実行し、前記暖房側オーバーフローセンサ４４ｗによりオーバーフローが検出されると、前記受熱用熱交換器異常報知用の警報ランプ４３ｗを点灯させる警報処理を実行するように構成されている。
【００５１】
次に、前記運転制御部５により前記複数の熱媒貯留タンク１４夫々への水の補給を制御すべく前記複数の給水断続弁３１の作動を制御する弁操作制御処理について説明する。
この第２実施形態においても、第１実施形態と同様に、前記複数の熱媒循環路Ｒの夫々における前記熱媒貯留タンクＴ内の熱媒量を検出する熱媒量検出センサＳの検出情報に基づいて、前記熱媒貯留タンクＴ内の熱媒量が設定下限量になるとその熱媒貯留タンクＴに対応する前記給水断続弁３１を開弁し、且つ、前記熱媒貯留タンクＴ内の熱媒量が設定上限量以上になると前記給水断続弁３１を閉弁する水補給処理を実行する弁操作制御手段４１が設けられ、その弁操作制御手段４１が、前記運転制御部５を用いて構成されている。
【００５２】
そして、この第２実施形態においては、前記運転制御部５が、前記水補給処理を実行したのちにおいて、前記オーバーフロー検出センサ４４にてオーバーフローが検出されたときには、その水補給処理の対象でない前記熱媒貯留タンクに対応する給水断続弁３１を開弁して閉弁する異常解除用の開閉処理を実行するように構成されている。
【００５３】
この異常解除用の開閉処理の実行について説明を加えると、前記運転制御部５は、２つの熱媒量検出センサＳのうちのいずれか一方が設定下限量を検出すると、その設定下限量を検出した熱媒量検出センサＳに対応する熱媒貯留タンクＴについて水補給処理を実行し、その水補給処理の実行後、異常判別用の設定時間が経過するまでに、他方の熱媒量検出センサＳが設けられている熱媒貯留タンクＴに対応するオーバーフローセンサ４４にてオーバーフローが検出されると、そのオーバーフローを検出したオーバーフローセンサ４４が設けられている熱媒貯留タンクＴに対応する給水断続弁３１について異常解除用の開閉処理を実行するように構成されている。
ちなみに、前記異常判別用の設定時間は、例えば１分間程度に設定される。
【００５４】
つまり、熱媒量検出センサＳが設定下限量を検出することに基づいて、その設定下限量を検出した熱媒量検出センサＳに対応する熱媒貯留タンクＴについて水補給処理が実行されたときに、他の熱媒貯留タンクＴに対応する給水断続弁３１がウォーターハンマー現象により開弁状態になって、その熱媒貯留タンクＴの熱媒量が増加してその熱媒貯留タンクＴに対応するオーバーフローセンサ４４によりオーバーフローが検出されると、その熱媒貯留タンクＴに対応する給水断続弁３１に対して異常解除用の開閉処理が実行されて、その給水断続弁３１が自動的に閉じ操作される。
【００５５】
又、前記運転制御部５は、前記水補給処理を実行したときは、前記オーバーフローセンサ４４によりオーバーフローが検出されても、前記警報ランプ４３を点灯させる警報処理を実行しないように構成されている。
【００５６】
以下、図６に示すフローチャートに基づいて、前記運転制御部５の前記弁操作制御処理における制御動作を説明する。
ステップ＃３１で、暖房側オーバーフローセンサ４４ｗにてオーバーフローが検出されているか否かを判別して、検出されていないと判別した場合は、ステップ＃３２で、エンジン側オーバーフローセンサ４４ｅにてオーバーフローが検出されているか否かを判別して、検出されていないと判別した場合は、ステップ＃３３で、暖房側熱媒量検出センサＳｗにより熱媒量が設定下限量であることが検出されているか否かを判別し、検出されていると判別した場合は、暖房側熱媒貯留タンク１８について前述のように水補給処理を実行し、その水補給処理が終了すると、エンジン側給水断続弁３１ｅが不必要に開き状態になっていないかを判別するためにタイマーをスタートさせて、異常判別用の設定時間が経過するまでに、エンジン側オーバーフローセンサ４４ｅにてオーバーフローが検出されると、エンジン側給水断続弁３１ｅが不必要に開き状態になったとして、そのエンジン側給水断続弁３１ｅについて異常解除用の開閉処理を実行する（ステップ＃３４〜３８）。
【００５７】
ステップ＃３３で、暖房側熱媒量検出センサＳｗにより熱媒量が設定下限量であることが検出されていないと判別した場合、及び、ステップ＃３５，３６，３８の処理で、暖房側熱媒貯留タンク１８についての水補給処理の実行後、異常判別用の設定時間が経過してもエンジン側オーバーフローセンサ４４ｅにてオーバーフローが検出されなかった場合は、ステップ＃３９で、エンジン側熱媒量検出センサＳｅにより熱媒量が設定下限量であることが検出されているか否かを判別し、検出されていると判別した場合は、エンジン側熱媒貯留タンク１４について前述のように水補給処理を実行し、その水補給処理が終了すると、暖房側給水断続弁３１ｗが不必要に開き状態になっていないかを判別するためにタイマーをスタートさせて、異常判別用の設定時間が経過するまでに、暖房側オーバーフローセンサ４４ｗにてオーバーフローが検出されると、暖房側給水断続弁３１ｗが不必要に開き状態になったとして、その暖房側給水断続弁３１ｗについて異常解除用の開閉処理を実行する（ステップ＃４０〜４４）。
【００５８】
ステップ＃３９で、エンジン側熱媒量検出センサＳｅにより熱媒量が設定下限量であることが検出されていないと判別した場合、及び、及び、ステップ＃４１，４２，４４の処理で、エンジン側熱媒貯留タンク１４についての水補給処理の実行後、異常判別用の設定時間が経過しても暖房側オーバーフローセンサ４４ｗによりオーバーフローが検出されなかった場合は、リターンする。
【００５９】
ステップ＃３１で、前記暖房側オーバーフローセンサ４４ｗにてオーバーフローが検出されたと判別した場合は、前記受熱用熱交換器異常報知用の警報ランプ４３ｗを点灯させて警報処理を実行し、続いて、所定の停止処理を実行して、コージェネレーションシステムの運転を停止させ（ステップ＃４５，４７）、ステップ＃３２で、前記エンジン側オーバーフローセンサ４４ｅにてオーバーフローが検出されたと判別した場合は、前記授熱用熱交換器異常報知用の警報ランプ４３ｅを点灯させて警報処理を実行し、続いて、所定の停止処理を実行して、コージェネレーションシステムの運転を停止させ（ステップ＃４６，４７）。
【００６０】
〔別実施形態〕
次に別実施形態を説明する。
（イ）  熱媒加熱部Ｈ、熱媒放熱部Ｅ及び大気開放型の熱媒貯留タンクＴを経由する熱媒循環路Ｒを複数設けるに当たって、その個数は、上記の各実施形態において例示した２個に限定されるものではなく、３個以上でも良い。
又、熱媒循環路Ｒの種類は、上記の各実施形態において例示した種類、即ち、熱媒加熱部Ｈとしてのガスエンジン１ｅ、熱媒放熱部Ｅとしての授熱用熱交換器１３及び大気開放型の熱媒貯留タンクＴとしてのエンジン側熱媒貯留タンク１４を経由するエンジン排熱回収用の熱媒循環路１５、並びに、熱媒加熱部Ｈとしての受熱用熱交換器１７、熱媒放熱部Ｅとしての暖房端末３及び大気開放型の熱媒貯留タンクＴとしての暖房側熱媒貯留タンク１８を経由する暖房用の熱媒循環路１９に限定されるものではない。
例えば、熱電併給装置として燃料電池を設ける場合、その燃料電池１の排熱を回収するために、熱媒加熱部Ｈとしての燃料電池、熱媒放熱部Ｅとしての授熱用熱交換器及び大気開放型の熱媒貯留タンクＴとしての燃料電池側熱媒貯留タンクを経由する燃料電池排熱回収用の熱媒循環路を設けることになる。
又、暖房用の熱媒循環路として、熱媒放熱部Ｅとしての暖房端末の種類を異ならせることにより、複数種設けても良い。
【００６１】
（ロ）  警報手段の具体構成としては、上記の各実施形態において例示した警報ランプ４３に限定されるものではなく、ブザー、ディスプレイ等でも良く、又、警報ランプ４３、ブザー及びディスプレイのうちの２個以上の組合せでも良い。
【００６２】
（ハ）  熱媒量検出手段としては、上記の各実施形態において例示した如き熱媒量を段階的に検出するものに限定されるものではなく、例えば、熱媒量を連続的に検出するように構成したものでも良い。この場合、上記の第１実施形態においては、運転制御部５を、熱媒量検出センサＳの検出情報に基づいて、水補給処理を実行したのちにおいて、その水補給処理の対象でない熱媒貯留タンクＴの熱媒貯留量がその水補給処理を実行する前よりも異常判別用設定量増加すると判別したときには、その貯留量が異常判別用設定量増加した熱媒貯留タンクＴに対応する給水断続弁３１を開弁して閉弁する異常解除用の開閉処理を実行するように構成する。
【００６３】
（ニ）  閉じ側に弾性付勢された電磁操作式の給水断続弁としては、上記の実施形態において例示した構造のものに限定されるものではなく、閉じ側に弾性付勢された種々の構造の電磁弁を用いることが可能である。
【００６４】
（ホ）  本発明は、上記の実施形態の如き熱媒供給装置の一例としてのコージェネレーションシステムに適用する場合に限定されるものではなく、熱媒加熱部Ｈ、熱媒放熱部Ｅ、及び、大気開放型の熱媒貯留タンクＴを経由する複数の熱媒循環路Ｒが設けられた種々の構成の熱媒供給装置に適用することができる。
例えば、熱媒加熱部Ｈとしての授熱用熱交換器、熱媒放熱部Ｅとしての暖房端末及び大気開放型の熱媒貯留タンクＴを経由する複数の暖房用の熱媒循環路Ｒを、バーナ燃焼式等の共通の加熱手段にて加熱された熱媒を前記授熱用熱交換器に通流させる形態で備えた熱媒供給装置に適用することができる。
【図面の簡単な説明】
【００６５】
【図１】第１実施形態に係るコージェネレーションシステムのブロック図
【図２】第１実施形態に係る熱媒貯留タンク周辺の構成、及び、弁操作制御処理の制御構成を示すブロック図
【図３】第１実施形態に係る弁操作制御処理の制御動作のフローチャートを示す図
【図４】第２実施形態に係るコージェネレーションシステムのブロック図
【図５】第２実施形態に係る熱媒貯留タンク周辺の構成、及び、弁操作制御処理の制御構成を示すブロック図
【図６】第２実施形態に係る弁操作制御処理の制御動作のフローチャートを示す図
【図７】給水断続弁の一部切り欠き図
【符号の説明】
【００６６】
３１  給水断続弁
３２  給水管
３３  元給水管
４１  弁操作制御手段
４４  オーバーフロー検出手段
４５  警報制御手段
Ａ    警報手段
Ｅ    熱媒放熱部
Ｈ    熱媒加熱部
Ｒ    熱媒循環路
Ｓ    熱媒量検出手段
Ｔ    熱媒貯留タンク
【図１】
2008249302.tif 000003
【図２】
2008249302.tif 000004
【図３】
2008249302.tif 000005
【図４】
2008249302.tif 000006
【図５】
2008249302.tif 000007
【図６】
2008249302.tif 000008
【図７】
2008249302.tif 000009